(57)【要約】【課題】ＴＤＤ方式送受信装置に関し、送信系の過出力信号の受信系回路への回り込みに対する保護をより確実・適確に行う。【解決手段】電力増幅器６により電力増幅した送信信号を、サーキュレータ７を介してアンテナから送信し、かつ、該アンテナで受信された受信信号を、サーキュレータ７を介して受信系の低雑音増幅器１４に入力する構成を有するＴＤＤ方式送受信装置において、電力増幅器６の出力電流又は出力電圧を監視し、該出力電流又は出力電圧が予め規定した過出力電流値又は過出力電圧値を超えたことを判定すると、サーキュレータ７と低雑音増幅器１４との間に設けた受信スイッチ１３を遮断し、送信系の高出力信号が受信系の低雑音増幅器１４に回り込むことによって引き起こされる低雑音増幅器１４の特性劣化又は破壊を防ぐ。【選択図】図１
2011019025.tif 000002
【特許請求の範囲】
【請求項１】
送信出力増幅器により電力増幅した送信信号を送受信信号結合部を介してアンテナから送信し、かつ、該アンテナで受信された受信信号を前記送受信信号結合部を介して受信系の受信入力増幅器に入力する構成を有するＴＤＤ方式送受信装置において、
前記送信出力増幅器の出力電流又は出力電圧を監視し、該出力電流又は出力電圧が予め規定した過出力電流値又は過出力電圧値を超えたことを判定する過出力判定手段と、
前記送受信信号結合部と前記受信入力増幅器との間に設けられ、前記過出力判定手段により前記送信出力増幅器の過出力が検出されたときに出力される信号により、前記受信信号を前記受信入力増幅器へ入力する信号路を遮断する受信スイッチと、
を備えたことを特徴とするＴＤＤ方式送受信装置。
【請求項２】
送信出力増幅器により電力増幅した送信信号を送受信信号結合部を介してアンテナから送信し、かつ、該アンテナで受信された受信信号を前記送受信信号結合部を介して受信系の受信入力増幅器に入力する構成を有するＴＤＤ方式送受信装置において、
前記送受信信号結合部と前記アンテナとの間に設けられたフロントエンド部における送信信号の出力電流又は出力電圧を監視し、該出力電流又は出力電圧が予め規定した過出力電流値又は過出力電圧値を超えたことを判定する過出力判定手段と、
前記送受信信号結合部と前記受信入力増幅器との間に設けられ、前記過出力判定手段により前記送信出力増幅器の過出力が検出されたときに出力される信号により、前記受信信号を前記受信入力増幅器へ入力する信号路を遮断する受信スイッチと、
を備えたことを特徴とするＴＤＤ方式送受信装置。
【請求項３】
送信出力増幅器により電力増幅した送信信号を送受信信号結合部を介してアンテナから送信し、かつ、該アンテナで受信された受信信号を前記送受信信号結合部を介して受信系の受信入力増幅器に入力する構成を有するＴＤＤ方式送受信装置において、
前記送信出力増幅器の前段の前置増幅器の出力電流又は出力電圧を監視し、該出力電流又は出力電圧が予め規定した過出力電流値又は過出力電圧値を超えたことを判定する過出力判定手段と、
前記送受信信号結合部と前記受信入力増幅器との間に設けられ、前記過出力判定手段により前記送信出力増幅器の過出力が検出されたときに出力される信号により、前記受信信号を前記受信入力増幅器へ入力する信号路を遮断する受信スイッチと、
を備えたことを特徴とするＴＤＤ方式送受信装置。
【請求項４】
前記前置増幅器と前記送信出力増幅器との間に設けられ、前記過出力判定手段により前記送信出力増幅器の過出力が検出されたときに出力される信号により、前記前置増幅器の出力信号を前記送信出力増幅器へ入力する信号路を遮断する送信スイッチと、
を備えたことを特徴とする請求項３に記載のＴＤＤ方式送受信装置。
【請求項５】
前記受信入力増幅器に用いられる増幅素子のゲートバイアス電圧を、送信と受信の切替えタイミングにて合わせて異なる電圧に切替えるバイアス切替え手段と、
前記増幅素子の出力電流又は出力電圧の変化を監視し、前記ゲートバイアス電圧の切替えタイミングに同期して前記増幅素子の出力電流又は出力電圧が変化しているか否かを判定する増幅素子出力監視手段と
を備えたことを特徴とする請求項１乃至４の何れかに記載のＴＤＤ方式送受信装置。
【発明の詳細な説明】
【技術分野】
【０００１】
本発明は、ＴＤＤ方式送受信装置に関する。本発明は、例えば、移動無線通信基地局においてＴＤＤ（Time Division Duplex）方式を用いる無線装置等の送受信部に適用することができるＴＤＤ方式送受信装置に関する。
【背景技術】
【０００２】
ＴＤＤ方式は、周波数有効利用の観点で有用な無線通信方式の一つで、送信と受信とに共通の周波数帯域を使用し、一つの周波数帯域内で時分割により送信と受信とを切替える。ＷｉＭＡＸ（Worldwide Interoperability for Microwave Access）やＬＴＥ（Long Term Evolution）の一部でこの方式が採用されている。
【０００３】
ＴＤＤ方式送受信装置は、同一の周波数帯域の送信系と受信系とを一つの送受信装置内に構築する必要があり、送信時における受信系への送信信号電力の回り込みや受信時における送信系雑音の受信系への回り込みを防止する等、ＴＤＤ方式特有の技術上の課題を有する。
【０００４】
従来のＴＤＤ方式送受信装置の一例として、移動無線基地局（ＢＳ）の送受信部（ＴＲＸ）の構成例を図９に示す。まず、送信系について説明すると、送信信号のデジタルＩＱ信号がベースバンド部（ＢＢ）１から出力され、該デジタルＩＱ信号は、デジタルアナログ変換部（ＤＡＣ）２でアナログ信号に変換される。該アナログ信号は、直交変調部（ＱＭＯＤ）３で直交変調され、無線周波数帯信号として出力される。
【０００５】
該無線周波数帯信号は、前置増幅器（ＰｒｅＡＭＰ）４で前置増幅され、送信出力増幅器（以下、電力増幅器（ＰＡ）という）６で高出力信号に増幅され、送受信信号結合部（以下、サーキュレータ（ＣＩＲ）という）７に入力される。サーキュレータ（ＣＩＲ）７の出力信号は、フロントエンド部（ＦＥ）８により不要波成分の除去等が施され、アンテナ（ＡＮＴ）から送信波として出力される。
【０００６】
電力増幅器（ＰＡ）６の出力信号はカップリングされ、フィードバックコンバータ（ＦＢ−ＣＯＮＶ）９により中間周波数帯に変換され、アナログデジタル変換部（ＡＤＣ）１０によりデジタル信号に変換される。デジタル信号に変換されたフィードバック信号は、ベースバンド部（ＢＢ）１に戻され、デジタルプリディストータ（ＤＰＤ）１１の処理信号として用いられると同時に、送信出力レベルの値の導出に用いられる。
【０００７】
次に受信系について説明すると、アンテナ（ＡＮＴ）から入力された信号は、フロントエンド部（ＦＥ）８により帯域外の不要波成分が除去された後、サーキュレータ（ＣＩＲ）７で受信信号が送信信号と分離され、受信スイッチ（ＲＸ  ＲＦＳＷ）１３に入力される。この受信スイッチ（ＲＸ  ＲＦＳＷ）１３は、低雑音増幅器（ＬＮＡ）１４等の受信入力増幅器に送信信号の過出力レベルが回り込んで入力されるのを防ぐために設けられたスイッチである。
【０００８】
受信スイッチ（ＲＸ  ＲＦＳＷ）１３から出力される信号は、低雑音増幅器（ＬＮＡ）１４等の受信入力増幅器に入力され、低雑音増幅された後、受信コンバータ（ＲＸ−ＣＯＮＶ）１５へ入力される。受信信号は、受信コンバータ（ＲＸ−ＣＯＮＶ）１５により中間周波数帯に変換され、アナログデジタル変換部（ＡＤＣ）１６によりデジタル信号に変換され、ベースバンド部（ＢＢ）１へ入力され、復調処理が施される。
【０００９】
従来のＴＤＤ方式送受信装置では、ベースバンド部（ＢＢ）１内のアラーム判定部（ＡＬＭ）１２により過出力が検出されたとき、受信スイッチ（ＲＸ  ＲＦＳＷ）１３を遮断し、送信系の回り込み信号が低雑音増幅器（ＬＮＡ）１４に入力されないようにする処理を施している。
【００１０】
また、従来のＴＤＤ方式の無線送受信装置として、アンテナなどからの送信信号の異常レベルの反射信号による低雑音増幅器への影響を防止する手段と、異常レベルの反射信号の発生を検出し、異常検出信号を生成する手段とを設け、送受信状態の異常を検出して無駄な動作をなくすようにしたＴＤＤ方式の無線送受信装置等が、例えば下記の特許文献１等によって知られている。
【先行技術文献】
【特許文献】
【００１１】
【特許文献１】特開２００８−１４７９３４号公報
【発明の概要】
【発明が解決しようとする課題】
【００１２】
従来のＴＤＤ方式送受信装置では、電力増幅器（ＰＡ）６の出力信号をカップリングにより抽出し、フィードバックコンバータ（ＦＢ−ＣＯＮＶ）９及びアナログデジタル変換部（ＡＤＣ）１０を介してそのフィードバック信号をベースバンド部（ＢＢ）１に入力し、ベースバンド部（ＢＢ）１で送信出力レベルの値を導出する。
【００１３】
そして、送信出力レベルの値をアラーム判定部（ＡＬＭ）１２で判定して、過出力（異常な高出力）と判定された後、受信スイッチ（ＲＸ  ＲＦＳＷ）１３を遮断していた。その結果、電力増幅器（ＰＡ）６から過出力レベルが出力された後、それがアラーム判定部（ＡＬＭ）１２で判定されて受信スイッチ（ＲＸ  ＲＦＳＷ）１３が遮断されるまでに、可成の時間が掛かり、その間、受信系の低雑音増幅器（ＬＮＡ）１４等の受信入力増幅器に高電力の信号が印加されていた。そのため、低雑音増幅器（ＬＮＡ）１４等の受信入力増幅器に高電力耐力性を有するものを使用しなければならなかった。
【００１４】
しかし、使用周波数の追加や低コスト化への対応に際して、必ずしも充分な高電力耐力性のデバイスが容易に入手可能であるとは限らず、また、低雑音増幅器（ＬＮＡ）１４の高電力耐力性が維持されている時間内に受信スイッチ（ＲＸ  ＲＦＳＷ）１３の遮断への切替えが完了せず、低雑音増幅器（ＬＮＡ）１４の破壊又は特性劣化が生ずる可能性があった。
【００１５】
また、送信系の回路の故障などにより想定外の周波数で発振が起きた場合、フィードバックコンバータ（ＦＢ−ＣＯＮＶ）９の周波数特性により、或いはアナログデジタル変換部（ＡＤＣ）１０が動作可能な周波数レンジ外となることにより、送信系の出力レベルの検出が適正に行われなくなる。そのため、フロントエンド部（ＦＥ）８により外部に不要な電波を送出することは防げたとしても、受信系の回路に対する保護が不充分で、受信系の回路の故障を引き起こす恐れがあった。本発明は、送信系の過出力信号の受信系回路への回り込に対する保護がより確実・適確に行われるＴＤＤ方式送受信装置を提供する。
【課題を解決するための手段】
【００１６】
上記課題を解決するＴＤＤ方式送受信装置は、送信出力増幅器により電力増幅した送信信号を送受信信号結合部を介してアンテナから送信し、かつ、該アンテナで受信された受信信号を前記送受信信号結合部を介して受信系の受信入力増幅器に入力する構成を有するＴＤＤ方式送受信装置において、前記送信出力増幅器の出力電流又は出力電圧を監視し、該出力電流又は出力電圧が予め規定した過出力電流値又は過出力電圧値を超えたことを判定する過出力判定手段と、前記送受信信号結合部と前記受信入力増幅器との間に設けられ、前記過出力判定手段により前記送信出力増幅器の過出力が検出されたときに出力される信号により、前記受信信号を前記受信入力増幅器へ入力する信号路を遮断する受信スイッチと、を備えたものである。
【００１７】
また、前記送受信信号結合部と前記アンテナとの間に設けられたフロントエンド部における送信信号の出力電流又は出力電圧を監視し、該出力電流又は出力電圧が予め規定した過出力電流値又は過出力電圧値を超えたことを判定する過出力判定手段と、前記送受信信号結合部と前記受信入力増幅器との間に設けられ、前記過出力判定手段により前記送信出力増幅器の過出力が検出されたときに出力される信号により、前記受信信号を前記受信入力増幅器へ入力する信号路を遮断する受信スイッチと、を備えたものである。
【００１８】
また、前記送信出力増幅器の前段の前置増幅器の出力電流又は出力電圧を監視し、該出力電流又は出力電圧が予め規定した過出力電流値又は過出力電圧値を超えたことを判定する過出力判定手段と、前記送受信信号結合部と前記受信入力増幅器との間に設けられ、前記過出力判定手段により前記送信出力増幅器の過出力が検出されたときに出力される信号により、前記受信信号を前記低雑音増幅器へ入力する信号路を遮断する受信スイッチと、を備えたものである。
【発明の効果】
【００１９】
ＴＤＤ方式送受信装置において、送信系から過出力レベルの送信信号が出力されたとき、短時間で送信系の過出力を検出し、送信系の過出力信号の受信系回路への回り込みに対する受信系回路の保護を敏速にかつ確実・適確に行うことができ、受信系回路の破壊又は特性劣化を防ぐことができる。
【図面の簡単な説明】
【００２０】
【図１】ＴＤＤ方式送受信装置の過出力保護機能の説明図を示す図である。
【図２】電力増幅器のＦＥＴのドレイン電流の監視による過出力保護機能の説明図を示す図である。
【図３】電力増幅器のドレイン電流を監視による過出力保護の処理フローを示す図である。
【図４】電力増幅器の出力電力の監視による過出力保護機能の説明図を示す図である。
【図５】電力増幅器の出力電力の監視による過出力保護機能の処理フローを示す図である。
【図６】前置増幅器の出力電力の監視による過出力保護機能の構成例を示す図である。
【図７】前置増幅器の出力電力の監視による過出力保護の処理フローを示す図である。
【図８】低雑音増幅器の診断機能の説明図である。
【図９】従来のＴＤＤ方式送受信装置の構成例を示す図である。
【発明を実施するための形態】
【００２１】
図１にこのＴＤＤ方式送受信装置の過出力保護機能の説明図を示す。該過出力保護機能は第１の手段（１）として、送信出力増幅器（以下、電力増幅器（ＰＡ）という）６に用いられる増幅素子（例えば、ＦＥＴ：Field Effect Transistor）の出力電流（例えばドレイン電流）又は出力電圧を監視し、該出力電流又は出力電圧が該増幅素子の規定最大電流値又は規定最大電圧値に達した場合、電力増幅器（ＰＡ）６が過大出力状態であると判断し、受信スイッチ（ＲＸ  ＲＦＳＷ）１３を遮断する構成を備える。この構成により、通常動作時の周波数帯だけでなく、回路故障による発振等で想定外の周波数の送信出力信号が発生した場合でも過出力検出が可能となり、それに伴う受信系への大電力信号の回り込みを短時間で抑制することができる。
【００２２】
また、電力増幅器（ＰＡ）６の過出力警報（Over Power Alarm）により、受信スイッチ（ＲＸ  ＲＦＳＷ）１３を遮断する構成を備えることができる。この構成により、ベースバンド部（ＢＢ）１の信号処理に異常を来たした場合でも、過出力検出が可能となり、それに伴う受信系への大電力の回り込みを短時間で抑制することができる。
【００２３】
また、第２の手段（２）として、前置増幅器（ＰｒｅＡＭＰ）４の出力側に設けた検波部で前置増幅器（ＰｒｅＡＭＰ）４の出力電力をモニタし、該出力電力が規定値以上となり、過出力となったとき、前置増幅器（ＰｒｅＡＭＰ）４の出力側に設けた送信スイッチ（ＴＸ  ＲＦＳＷ）５と受信スイッチ（ＲＸ  ＲＦＳＷ）１３を遮断する構成を備える。
【００２４】
この構成により、前置増幅器（ＰｒｅＡＭＰ）４及びベースバンド部（ＢＢ）１の信号処理に異常を来たした場合に過出力検出が可能となり、送信スイッチ（ＴＸ  ＲＦＳＷ）５を遮断することにより、電力増幅器（ＰＡ）６への過大信号の入力を防ぎ、また、受信スイッチ（ＲＸ  ＲＦＳＷ）１３を遮断することにより、それに伴う受信系への大電力の回り込みを短時間で抑制することができる。
【００２５】
また、第３の手段（３）として、受信系に設けられる受信入力増幅器（以下、低雑音増幅器（ＬＮＡ）という）１４に用いられる増幅素子（例えばＦＥＴ）のゲートバイアス電圧を、送信と受信の切替えタイミングに合わせて切替え、そのときの出力電流又は出力電圧（例えばドレイン電流又は電圧）の変化を確認する構成を備える。この構成により、受信系に大電力信号が回り込んでしまった場合でも、受信系の低雑音増幅器（ＬＮＡ）１４動作の正常性を逐次確認し、動作不良を監視することができる。
【実施例】
【００２６】
図２に、電力増幅器（ＰＡ）６のＦＥＴのドレイン電流の監視による過出力保護機能の説明図を示す。電力増幅器（ＰＡ）６のＦＥＴのドレイン電流の監視手段として、給電部（ＰＳ：Power Supply）２０に、過出力制限値（Overload Limit）が設定されている。なお、以下の説明において、出力電流と出力電圧とに格別な差異は無いため、主に出力電流について説明するが、出力電圧についても同様に適用することができる。
【００２７】
該過出力制限値は、電力増幅器（ＰＡ）６のＦＥＴのドレイン電流の通常動作時の最大電流（Maximum Current）の例えば１．０５倍に設定され、該過出力制限値を越えるドレイン電流が流れたとき、過出力警報（Over Power Alarm）を発し、送信信号の送出を停止させる。
【００２８】
このＴＤＤ方式送受信装置の過出力保護機能は、上述の過出力制限値より低い値として、電力増幅器（ＰＡ）６のＦＥＴの出力信号が過出力と想定される過出力電流値を規定する。そして、この過出力電流値への到達を契機として受信スイッチ（ＲＸ  ＲＦＳＷ）１３を遮断する。この過出力電流値として、電力増幅器（ＰＡ）６のＦＥＴのドレイン電流の通常動作時の最大電流（Maximum Current）値とすることができる。
【００２９】
電力増幅器（ＰＡ）６のＦＥＴの出力電流の変化を監視することにより、前置増幅器（ＰｒｅＡＭＰ）４又は電力増幅器（ＰＡ）６の異常発振等によって帯域外の過大信号が出力されても過出力電流として検出され、直ちに過出力を検出することができる。
【００３０】
図３に電力増幅器（ＰＡ）６のドレイン電流を監視による過出力保護の処理フローを示す。給電部（ＰＳ）において、過出力電流値として設定した通常動作時の最大電流（Maximum Current）の上限設定値を超えたことを検出すると（３−１）、受信スイッチ（ＲＸ  ＲＦＳＷ）１３の遮断（ＯＦＦ）信号を生成する（３−２）。該遮断（ＯＦＦ）信号を受信スイッチ（ＲＸ  ＲＦＳＷ）１３に送出し、受信スイッチ（ＲＸ  ＲＦＳＷ）１３を遮断（ＯＦＦ）し、過出力信号の受信系への回り込みを防止する（３−３）。
【００３１】
図４に、電力増幅器（ＰＡ）６の出力電力の監視による過出力保護機能の説明図を示す。従来例では、過出力検出の機能をベースバンド部（ＢＢ）１のデジタルプリディストータ（ＤＰＤ）１１に搭載していたが、過出力検出の機能をベースバンド部（ＢＢ）１とは別の回路構成とし、ベースバンド部（ＢＢ）１と独立した例えばフロントエンド部（ＦＥ）８の出力側に検波部（ＤＥＴ）４１及び過出力判定部４２を設ける。
【００３２】
フロントエンド部（ＦＥ）８から出力される送信信号の過出力を、検波部（ＤＥＴ）４１及び過出力判定部４２により検出及び判定する。そして、過出力判定部４２から受信スイッチ（ＲＸ  ＲＦＳＷ）１３の制御信号を供給し、過出力時に受信スイッチ（ＲＸ  ＲＦＳＷ）１３を遮断状態に切替える。この構成により、ベースバンド部（ＢＢ）１が誤動作した場合でも、受信系に対する保護動作が確実に行われる。
【００３３】
図５に電力増幅器（ＰＡ）６の出力電力の監視による過出力保護機能の処理フローを示す。検波部（ＤＥＴ）４１によりフロントエンド部（ＦＥ）８の出力電力を検出する（５−１）。検波部（ＤＥＴ）４１の出力電力検出結果を基に、過出力判定部４２により過出力を判定し、過出力時に受信スイッチ（ＲＸ  ＲＦＳＷ）１３の遮断（ＯＦＦ）信号を生成する（５−２）。該遮断（ＯＦＦ）信号を受信スイッチ（ＲＸ  ＲＦＳＷ）１３に送出して受信スイッチ（ＲＸ  ＲＦＳＷ）１３を遮断（ＯＦＦ）し、過出力信号の受信系への回り込みを防止する（５−３）。
【００３４】
図６に、前置増幅器（ＰｒｅＡＭＰ）４の出力電力の監視による過出力保護機能の構成例を示す。前置増幅器（ＰｒｅＡＭＰ）４の出力側に検波部（ＤＥＴ）６１を設け、該検波部（ＤＥＴ）６１により前置増幅器（ＰｒｅＡＭＰ）４の出力電力をモニタする。
【００３５】
該検波部（ＤＥＴ）６１により検出される出力電力を過出力判定部（ＣＯＭＰ）６２により所定の閾値と比較し、該出力電力が該閾値を超えて過出力と判定されたとき、前置増幅器（ＰｒｅＡＭＰ）４の出力側に設けた送信スイッチ（ＴＸ  ＲＦＳＷ）５を遮断する制御信号を送出し、送信スイッチ（ＴＸ  ＲＦＳＷ）５により前置増幅器（ＰｒｅＡＭＰ）４以降の出力信号の送出を遮断する。
【００３６】
図６の実施例は送信系の中間段の回路における過出力によるものであり、最終段の電力増幅器（ＰＡ）６の故障による出力遮断と区別するために、ベースバンド部（ＢＢ）１に対して、前置増幅器（ＰｒｅＡＭＰ）４での過出力発生による出力遮断を示す信号を送出する。またこの信号を、受信スイッチ（ＲＸ  ＲＦＳＷ）１３を遮断する遮断信号として利用することができる。
【００３７】
図７に前置増幅器（ＰｒｅＡＭＰ）４の出力電力の監視による過出力保護の処理フローを示す。検波部（ＤＥＴ）６１において前置増幅器（ＰｒｅＡＭＰ）４の出力電力を検出する（７−１）。過出力判定部（ＣＯＭＰ）６２で検波部（ＤＥＴ）６１による出力電力検出結果を基に過出力を判定し、過出力時に送信スイッチ（ＴＸ  ＲＦＳＷ）５の遮断（ＯＦＦ）信号を生成する（７−２）。
【００３８】
遮断（ＯＦＦ）信号の送出により送信スイッチ（ＴＸ  ＲＦＳＷ）５を遮断（ＯＦＦ）し、電力増幅器（ＰＡ）６への入力信号を遮断する（７−３）。それと同時にベースバンド部（ＢＢ）１へ前置増幅器（ＰｒｅＡＭＰ）４での過出力を示す信号を通知し、かつ受信スイッチ（ＲＸ  ＲＦＳＷ）１３を遮断（ＯＦＦ）して、過出力信号の受信系への回り込み防止する（７−４）。
【００３９】
次に低雑音増幅器（ＬＮＡ）１４を診断する機能について図８を参照して説明する。低雑音増幅器（ＬＮＡ）１４の増幅素子のゲート電圧のバイアスを、ＴＤＤ方式における送信と受信の切替えタイミングに合わせて切替え、そのときの増幅素子の出力あるドレイン電流又は電圧の変化を監視する。
【００４０】
即ち、ＴＤＤ方式における送信と受信の切替えを制御するＴＤＤ切替制御部（ＴＤＤＳＷ  ＣＯＮＴ）８１の切替制御信号を、アナログスイッチ８２に入力し、該切替制御信号により、アナログスイッチ８２から出力する低雑音増幅器（ＬＮＡ）１４のゲート電圧のバイアスを切替える。
【００４１】
アナログスイッチ８２には、異なるゲートバイアス電圧、例えば、低雑音増幅器（ＬＮＡ）１４の通常動作時のゲートバイアス電圧（On bias）８３と、低雑音増幅器（ＬＮＡ）１４を不動作とするゲートバイアス電圧（Off bias）８４とを入力し、アナログスイッチ８２は、上記切替制御信号によりその何れか一方のゲートバイアス電圧を、低雑音増幅器（ＬＮＡ）１４のゲートに印加する。そして、低雑音増幅器（ＬＮＡ）１４の出力電圧であるドレイン電圧を、オペアンプ８５等を用いた増幅素子出力監視手段により監視する。
【００４２】
図９の（ａ）に示すように、時分割複信（ＴＤＤ）の切替えタイミングに同期して、低雑音増幅器（ＬＮＡ）１４のドレイン電圧が変化していれば、低雑音増幅器（ＬＮＡ）１４の動作は正常であると判定する。一方、図９の（ｂ）に示すように、時分割複信（ＴＤＤ）の切替えタイミングに同期した変化が得られない場合は、低雑音増幅器（ＬＮＡ）１４の動作不良と判定する。これにより、受信系に何らかの不具合が生じたとき、低雑音増幅器（ＬＮＡ）１４の故障を検出することが可能となる。
【００４３】
なお、図９の（ａ）及び（ｂ）において、ＴＤＳＷはＴＤＤ方式における送信と受信の切替えを制御する切替制御信号の波形を示し、ＯＰＡＭＰ出力は低雑音増幅器（ＬＮＡ）１４の出力を監視するオペアンプ８５の出力信号を示している。
【符号の説明】
【００４４】
１  ベースバンド部
２  デジタルアナログ変換部
３  直交変調部
４  前置増幅器
５  送信スイッチ
６  送信出力増幅器（電力増幅器）
７  送受信信号結合部（サーキュレータ）
８  フロントエンド部
９  フィードバックコンバータ
１０  アナログデジタル変換部
１１  デジタルプリディストータ
１３  受信スイッチ
１４  低雑音増幅器
１５  受信コンバータ
１６  アナログデジタル変換部
【図１】
2011019025.tif 000003
【図２】
2011019025.tif 000004
【図３】
2011019025.tif 000005
【図４】
2011019025.tif 000006
【図５】
2011019025.tif 000007
【図６】
2011019025.tif 000008
【図７】
2011019025.tif 000009
【図８】
2011019025.tif 000010
【図９】
2011019025.tif 000011